(57)【要約】【課題】      ケースの開放阻止フックと突片との破壊を防止する。【解決手段】  ケースＡの箱体１と蓋体３との内と外とで重なる両周壁の一側上端から下方に向けて設けた開口７からケース内のロック板嵌入空間８にロック板をスライド嵌入し、少なくとも片方の周壁の開口側の端縁から内方に向くＵ字状の切欠きによりフック１０を設け、ロック板の上面上記スライド嵌入方向の反対側末端に前記ロック板の嵌入終了状況下に切欠きに嵌入してフックに係合する突片を設け、またケースの両側壁の内面にケースの閉鎖にともない直列状に並ぶ筒状部ロック板の閂材を貫通させ、ロック板とケースとにロック板の嵌入にともない押し戻され、嵌入終了にともない係合関係になる係止手段を設け、外側周壁の表面にフックと突片との係合関係の露出を隠蔽する隠蔽部Ｂを設けた構成を採用する。【選択図】図１
2009029505.tif 000002
【特許請求の範囲】
【請求項１】
箱体と、この箱体の下縁にヒンジを介し開閉自在に設けた蓋体とでケースを形成し、この箱体と蓋体との内と外とで重なる両周壁の一側上端から下方に向けて設けた開口から上記ケース内のロック板嵌入空間にロック板をスライド嵌入し、上記少なくとも片方の周壁の上記開口側の端縁から内方に向くＵ字状の切欠きによりフックを設け、上記ロック板の上面上記スライド嵌入方向の反対側末端に前記ロック板の嵌入終了状況下に上記切欠きに嵌入して上記フックに係合する突片を設け、また上記ケースの両側壁の内面上部に前記ケースの閉鎖にともない直列状に並ぶ筒状部を設けて、この筒状部に上記ロック板の閂材を貫通させ、さらにロック板と上記ケースとに上記ロック板の嵌入にともない押し戻され、嵌入終了にともない係合関係になる係止手段を設けたケースにおいて、上記外側周壁の表面に上記フックと突片との係合関係の露出を隠蔽する隠蔽部を設けたことを特徴とするケース。
【発明の詳細な説明】
【技術分野】
【０００１】  この発明は、レンタルショップの棚に陳列する例えばＤＶＤ、ＣＤ、ゲームソフトなどの商品を盗難から守ることができる盗難防止機能付のケースに関する。
【背景技術】
【０００２】  各種商品をレンタルショップの棚に直接並べて陳列すると、顧客により持ち出されるので、盗難にあう。【０００３】  そこで、レンタルショップ側の本体ケースと蓋とからなるケースに商品を収納する。【０００４】  上記のケースは、ケースの側面開口からロック板をロック嵌入空間にスライドして嵌入することで、蓋が開かない構造となっている（特許文献１及び特許文献２）。【０００５】  上記の出荷されているケース及びケースの蓋の開放阻止用ロック板の構成の詳細は、図１１、１２に示すように、箱体１０１と、この箱体１０１の一辺にヒンジ１０２を介し開閉自在に設けた蓋体１０３とでケース１０４が形成されている。【０００６】  そして、ケース１０４の側面に設けてある開口１０５からロック板嵌入空間１０６にロック板１０７をスライド嵌入して箱体１０１に対し蓋体１０３が開かない構造としてある。【０００７】  上記開かない構造としては、箱体１０１と蓋体１０３との内と外とで重なる或いは、二重になる周壁１０８、１０９の上記開口１０５の開放にともなう切り離し端から内方に向け、かつ内と外とで重なり合Ｕ字状の切欠きにより設けた両フック１１０、１１１にロック板１０７の端末側から突出する突片１１２が嵌入して、突片１１２と両フック１１０、１１１との係合関係でケース１０４の開口１０５側の箱体１０１と蓋体１０３の開放を阻止し、又箱体１０１と蓋体１０３との両側壁１１３、１１４の内面（ロック板の嵌入空間１０６内で突出し、かつ直列状に並ぶ筒体１１５、１１６にロック板１０７の閂材１１７が貫通してケース１０４の開口１０５の反対側の箱体１０１と蓋体１０３との開放を阻止している。【０００８】  そして、さらに両周壁１０８、１０９のヒンジ１０２に対向する内面の突部１１８がロック板１０７の上面の溝１１９に嵌入している。【０００９】  なお、ロック板１０７の末端側突片１１２の後方には、ショップ側の解除具を用いてロック板１０７を引き抜く際の引っかかり爪１２０が設けてある。【００１０】  なお、ロック板１０７の引き抜き防止の係合関係は、側壁１１４の内面から突出する多段の係合部１２１にロック板１０７の係合爪１１２が係合し、この係合関係の解除は、図１０に示す解除具１２３の磁石１２４により係合爪１２２側の鉄片１２５を磁吸して、係合部１２１から係合爪１２２が外れて、係合関係がなくなるようにしてある。【００１１】
【特許文献１】  特開２００２−１５０４４４号公報
【００１２】
【特許文献２】  アメリカ特許第６６０１４１５号公報
【発明の開示】
【発明が解決しようとする課題】
【００１３】  ところで、特許文献１及び２のケースは、詳細な図面の図１１、１２に示すように、両フック１１０、１１１に嵌入した突片１１２の図示上縁がフック１１０、１１１の切欠き内で露出している。【００１４】  この露出によってフックと突片との係合が一目でわかるので、例えばドライバなどで突片や切欠きが破壊され、破壊にともない係合関係が維持できなくなって、ケースに無理矢理開放方向の力を加えることでケースが開放でき、開放にともないロック板が取り外されて収納商品が取り出されて盗難にあう問題が発生した。【００１５】  そこで、この発明は、突片とフックとの係合関係を隠蔽して、上述の問題を解消することにある。
【課題を解決するための手段】
【００１６】  上記の課題を解決するために、この発明は、箱体と、この箱体の下縁にヒンジを介し開閉自在に設けた蓋体とでケースを形成し、この箱体と蓋体との内と外とで重なる両周壁の一側上端から下方に向けて設けた開口から上記ケース内のロック板嵌入空間にロック板をスライド嵌入し、上記少なくとも片方の周壁の上記開口側の端縁から内方に向くＵ字状の切欠きによりフックを設け、上記ロック板の上面上記スライド嵌入方向の反対側末端に前記ロック板の嵌入終了状況下に上記切欠きに嵌入して上記フックに係合する突片を設け、また上記ケースの両側壁の内面上部に前記ケースの閉鎖にともない直列状に並ぶ筒状部を設けて、この筒状部に上記ロック板の閂材を貫通させ、さらにロック板と上記ケースとに上記ロック板の嵌入にともない押し戻され、嵌入終了にともない係合関係になる係止手段を設けたケースにおいて、上記外側周壁の表面に上記フックと突片との係合関係の露出を隠蔽する隠蔽部を設けた構成する。【００１７】  すると、隠蔽板によって突片と切欠きとの係合部分が隠蔽されて外から見えなくなって、係合部分のドライバなどを用いた破損や破壊を阻止する。
【発明の効果】
【００１８】  以上のように、この発明の盗難防止機能付ケースによれば、ロック板の突片とケースの周壁に切欠きにより設けてあるフックとの係合関係が露出しないように隠蔽部に隠蔽してあるので、ドライバなどを用いた係合関係をなくする損傷や破壊（損）をなくすることができる。【００１９】  このため、常に係合関係が（突片とフックとによる）維持されるすぐれた効果を発揮する。
【発明を実施するための最良の形態】
【００２０】  この発明の実施の形態を添付図面に基づいて説明する。【００２１】  この発明の実施形態では、図１から図９に示すＡはケースである。【００２２】  上記のケースＡは、箱体１と、この箱体１の下縁にヒンジ２を介し開閉自在に設けた蓋体３とで構成されている。【００２３】  上記の箱体１及び蓋体３は、図示の場合側壁４とこの側壁４の辺縁から側壁４の裏面方向に突出する周壁５とで構成され、箱体１の下辺周壁５に蓋体３の下縁をピンヒンジ２により開閉自在に取付けてあり、箱体１と蓋体３との周壁５が外と内とで重なり合って閉鎖できるようになっている。【００２４】  また、ケースＡの一側の上端から下方に向け箱体１と蓋体３との周壁５、５の一部を欠落させて開口７を設けると共に、この開口７からケース４内のロック板嵌入空間８にロック板９をスライド嵌入して箱体１に対し蓋体３が開かないようになっている。【００２５】  上記の開かない構造としては、箱体１と蓋体３との上辺少なくとも片方の周壁５の開口７による切り離し端から上辺に沿って内方に向くＵ字状の切欠きにより設けてあるフック１０にロック板９の末端部上縁から上方に向けて突出する突片１１がロック板９のスライド嵌入の終了時に嵌入し、また箱体１と蓋体３との両側壁５の内面にケース４の閉鎖状況下で噛み合い状の嵌り込みにより直列状に並ぶ筒体１２、１３にロック板９の閂材１４が貫通して行なわれる。【００２６】  すると、ケース４の開口７側の無理矢理な開放は、係合状態にあるフック１０と突片１１により、開口７の反対側の無理矢理な開放は、図示開口７の反対側の筒体１２、１３に貫通する閂材１４により阻止する。【００２７】  上記のフック１０は、図１、２、３、４、５及び６に示すように両周壁５に設けたが、図８に示すように片方の周壁５に設ける（内又は外のいずれかの周壁５に）ことができ、目的達成のため選択すればよい。【００２８】  そして、ロック板９の顧客による引き抜き阻止は、図１０に示すように、側壁５の内面から突出する多段の係合部２１にロック板９の嵌入終了状況下にロック板９に設けてある係合爪２２が自動的に係合して、係合関係にある係合部２１と係合爪２２とで引き抜きが阻止されるようになっている。【００２９】  上記係合関係の解除は、図１０に示すようにショップ側の解除具１２３をケース４の状面に嵌装すると、係合爪２２側の鉄片１２５が解除具１２３の磁石１２４により磁吸されて係合部２１から係合爪２２が外れて係合関係を解除し、そして図１０右方向に解除具１２３をスライドすることで、ロック板９の上縁末端のツメ２３が解除具１２３の端面に引っかかってロック板９を引き抜くようにしてある。【００３０】  なお、図示のように、ロック板９の上縁の溝１６に周壁５の突部１７が嵌入するようにしておくと、突片１１とフック１０及び筒体１２、１３と閂材１４と同等の作用効果がある。【００３１】  図中１９はロック板９の末端に設けてある開口７の閉鎖板である。【００３２】  上記のように構成したケース４の外側周壁５の突片１１の存在する部分の表面には、フック１０と突片１１の係合関係の露出を隠蔽する隠蔽部Ｂが設けてある。【００３３】  すると、突片１１とフック７との係合関係が隠蔽部Ｂ��より隠蔽されて露出しないため、一目で上記の突片１１とフック７との係合関係がわからないため、ドライバなどを用いた破損（壊）による係合関係の解除ができなくなって、盗難防止機能を損うことがない。【００３４】  なお、図示のように隠蔽部Ｂの周壁５に対する連成部分に突片１１方向に向く登り傾斜のテーパー部ｂを設けておくことで、解除具１２３のすべりがスムーズになる。【００３５】  上記の隠蔽部Ｂは、図示の場合周壁５の表面に成形の際一体に成形して設けてある。
【図面の簡単な説明】
【００３５】
【図１】  この発明の実施形態を示す斜視図
【図２】  同上の腰部を示す斜視図
【図３】  同斜視図
【図４】  ロック板の斜視図
【図５】  ロック板を嵌入した一部切欠側面図
【図６】  同上の縦断正面図
【図７】  同縦断正面図
【図８】  片方にフックを設けた斜視図
【図９】  同上の腰部を示す斜視図
【図１０】  解除具の使用を示す縦断側面図
【図１１】  従来品の斜視図
【図１２】  同上の一部切欠側面図
【符号の説明】
【００３６】Ａ              ケース
Ｂ              隠蔽部
ｂ              テーパー部
１              箱体
２              ヒンジ
３              蓋体
４              側壁
５              周壁
７              開口
８              嵌入空間
９              ロック板
１０            フック
１１            突片
１２、１３      筒体
１４            閂材
２１            係合部
２２            係合爪
【図１】
2009029505.tif 000003
【図２】
2009029505.tif 000004
【図３】
2009029505.tif 000005
【図４】
2009029505.tif 000006
【図５】
2009029505.tif 000007
【図６】
2009029505.tif 000008
【図７】
2009029505.tif 000009
【図８】
2009029505.tif 000010
【図９】
2009029505.tif 000011
【図１０】
2009029505.tif 000012
【図１１】
2009029505.tif 000013
【図１２】
2009029505.tif 000014